(57)【要約】本発明は再発性のウイルス性疾患を改善させるか、または減少させるための組成物および方法を開示し、ここで、組成物および方法は、優先的なＴｈ１応答を反映するウイルス特異的免疫グロブリンサブクラスの増加を生じる。本発明は、動物においてＴｈ１応答を誘導することによって、潜伏性に感染した動物において、再発性のウイルス性疾患の症状を予防するか、または減少させることに関する。本発明は、Ｔｈ２応答と比較して、Ｔｈ１応答における増加を誘発する方法を教示する。【特許請求の範囲】
【請求項１】
ウイルスに感染した動物におけるウイルス性疾患の症状を改善する方法であって、該方法が、該ウイルス由来の少なくとも１つの免疫原性タンパク質を該動物に投与する工程を包含し、ここで、該タンパク質が１型Ｔヘルパー細胞（Ｔｈ１）応答を誘導する、方法。
【請求項２】
請求項１に記載の方法であって、前記Ｔｈ１応答が１つ以上の以下の応答：
ａ．優先的なＴｈ１応答を反映するウイルス特異的免疫グロブリンサブクラスの増加した比；
ｂ．ウイルス特異的なインターフェロンγ／インターロイキン−１０（ＩＮＦγ／ＩＬ−１０）の増加した比；
ｃ．増加したＣＤ８＋細胞傷害性Ｔリンパ球（ＣＴＬ）レベル；および
ｄ．増加したインターロイキン１２（ＩＬ−１２）レベル、
を含む、方法。
【請求項３】
請求項２に記載の方法であって、前記ウイルス特異的免疫グロブリンサブクラスの増加した比が、ＩｇＧ２ａ／ＩｇＧ１、ＩｇＧ１／ＩｇＧ４、ＩｇＧ２／ＩｇＧ４、ＩｇＧ３／ＩｇＧ４、（ＩｇＧ１＋ＩｇＧ２＋ＩｇＧ３）／ＩｇＧ４、（ＩｇＧ１＋ＩｇＧ２＋ＩｇＧ３）／ＩｇＧ５、ＩｇＧ１／ＩｇＥ、ＩｇＧ２／ＩｇＥおよびＩｇＧ３／ＩｇＥからなる群より選択される、方法。
【請求項４】
請求項１に記載の方法であって、前記少なくとも１つの免疫原性タンパク質がマウスに投与される場合に、ＩｇＧ２ａ／ＩｇＧ１の増加した比を含むＴｈ１応答を誘導する、方法。
【請求項５】
請求項２に記載の方法であって、前記Ｔｈ１応答が、優先的なＴｈ１応答を反映するウイルス特異的免疫グロブリンサブクラスの少なくとも２５％まで増加した比、ウイルス特異的なインターフェロンγ／インターロイキン−１０（ＩＮＦγ／ＩＬ−１０）の少なくとも２５％まで増加した比、少なくとも２５％まで増加したＣＤ８＋  ＣＴＬレベル、および少なくとも２５％まで増加したＩＬ−１２レベル、を含む、方法。
【請求項６】
優先的なＴｈ１応答を反映するウイルス特異的免疫グロブリンサブクラスの少なくとも２５％まで増加した比を含む応答の増加を生じる、請求項２に記載の方法。
【請求項７】
ウイルス特異的なインターフェロンγ／インターロイキン−１０（ＩＮＦγ／ＩＬ−１０）の少なくとも２５％まで増加した比を生じる、請求項２に記載の方法。
【請求項８】
少なくとも２５％まで増加したＣＤ８＋  ＣＴＬレベルを生じる、請求項２に記載の方法。
【請求項９】
少なくとも２５％まで増加したＩＬ−１２レベルを生じる、請求項２に記載の方法。
【請求項１０】
前記動物がヒトである、請求項２に記載の方法。
【請求項１１】
請求項１０に記載の方法であって、前記ウイルスが、ヒト免疫不全ウイルス、サイトメガロウイルス、Ｃ型肝炎ウイルス、パピローマウイルス、エプスタイン-バーウイルス、水痘−帯状疱疹ウイルスおよび単純疱疹ウイルスからなる群より選択される、方法。
【請求項１２】
前記ウイルスがヒト免疫不全ウイルスである、請求項１１に記載の方法。
【請求項１３】
前記ウイルスがサイトメガロウイルスである、請求項１１に記載の方法。
【請求項１４】
前記ウイルスがＣ型肝炎ウイルスである、請求項１１に記載の方法。
【請求項１５】
前記ウイルスがパピローマウイルスである、請求項１１に記載の方法。
【請求項１６】
前記ウイルスがエプスタイン-バーウイルスある、請求項１１に記載の方法。
【請求項１７】
前記ウイルスが水痘−帯状疱疹ウイルスである、請求項１１に記載の方法。
【請求項１８】
前記ウイルスが単純疱疹ウイルスである、請求項１１に記載の方法。
【請求項１９】
前記単純疱疹ウイルスが単純疱疹ウイルス−２である、請求項１８に記載の方法。
【請求項２０】
前記単純疱疹ウイルスが単純疱疹ウイルス−１である、請求項１８に記載の方法。
【請求項２１】
請求項１９に記載の方法であって、該方法が、薬学的に受容可能なキャリア中に、ＩＣＰ１０ＰＫタンパク質ではなく、複数のＨＳＶ−２タンパク質を含有する組成物を投与する工程を包含する、方法。
【請求項２２】
請求項１１に記載の方法であって、該方法が、少なくとも１つの免疫原性タンパク質を含むか、または投与後に、該少なくとも１つの免疫原性タンパク質を発現するウイルスの投与を包含する、方法。
【請求項２３】
単純疱疹ウイルス−２を投与する工程を包含する、請求項２２に記載の方法。
【請求項２４】
単純疱疹ウイルス−２のＩＣＰ１０ΔＰＫ変異体を投与する工程を包含する、請求項２２に記載の方法。
【請求項２５】
請求項１に記載の方法であって、前記少なくとも１つの免疫原性タンパク質が、該少なくとも１つの免疫原性タンパク質をコードする核酸を投与することによって、間接的に投与される、方法。
【請求項２６】
請求項２５に記載の方法であって、前記動物がヒトであり、かつ前記ウイルスが、ヒト免疫不全ウイルス、サイトメガロウイルス、Ｃ型肝炎ウイルス、パピローマウイルス、エプスタイン-バーウイルス、水痘−帯状疱疹ウイルスおよび単純疱疹ウイルスからなる群より選択される、方法。
【請求項２７】
前記ウイルス性疾患が疱疹であり、かつ前記核酸がＩＣＰ１０ＰＫをコードしない、請求項２６に記載の方法。
【請求項２８】
前記動物がヒトである、請求項５に記載の方法。
【請求項２９】
請求項２８に記載の方法であって、前記ウイルスが、ヒト免疫不全ウイルス、サイトメガロウイルス、Ｃ型肝炎ウイルス、パピローマウイルス、エプスタイン-バーウイルス、水痘−帯状疱疹ウイルスおよび単純疱疹ウイルスからなる群より選択される、方法。
【請求項３０】
前記ウイルスがヒト免疫不全ウイルスである、請求項２９に記載の方法。
【請求項３１】
前記ウイルスがサイトメガロウイルスである、請求項２９に記載の方法。
【請求項３２】
前記ウイルスがＣ型肝炎ウイルスである、請求項２９に記載の方法。
【請求項３３】
前記ウイルスがパピローマウイルスである、請求項２９に記載の方法。
【請求項３４】
前記ウイルスがエプスタイン-バーウイルスある、請求項２９に記載の方法。
【請求項３５】
前記ウイルスが水痘−帯状疱疹ウイルスである、請求項２９に記載の方法。
【請求項３６】
前記ウイルスが単純疱疹ウイルスである、請求項２９に記載の方法。
【請求項３７】
前記単純疱疹ウイルスが単純疱疹ウイルス−２である、請求項３６に記載の方法。
【請求項３８】
前記単純疱疹ウイルスが単純疱疹ウイルス−１である、請求項３６に記載の方法。
【請求項３９】
請求項２９に記載の方法であって、該方法が、少なくとも１つの免疫原性タンパク質を含むか、または投与後に、該少なくとも１つの免疫原性タンパク質を発現するウイルスの投与を包含する、方法。
【請求項４０】
請求項３７に記載の方法であって、該方法が、薬学的に受容可能なキャリア中に、ＩＣＰ１０ＰＫタンパク質ではなく、複数のＨＳＶ−２タンパク質を含有する組成物を投与する工程を包含する、方法。
【請求項４１】
単純疱疹ウイルス−２のＩＣＰ１０ΔＰＫ変異体を投与する工程を包含する、請求項３７に記載の方法。
【請求項４２】
請求項５に記載の方法であって、前記少なくとも１つの免疫原性タンパク質が、該少なくとも１つの免疫原性タンパク質をコードする核酸を投与することによって、間接的に投与される、方法。
【請求項４３】
請求項４２に記載の方法であって、前記動物がヒトであり、かつ前記ウイルスが、ヒト免疫不全ウイルス、サイトメガロウイルス、Ｃ型肝炎ウイルス、パピローマウイルス、エプスタイン-バーウイルス、水痘−帯状疱疹ウイルスおよび単純疱疹ウイルスからなる群より選択される、方法。
【請求項４４】
前記ウイルス性疾患が疱疹であり、かつ前記核酸がＩＣＰ１０ＰＫをコードしない、請求項４３に記載の方法。
【請求項４５】
ウイルスに感染した動物において、ウイルス性疾患の症状を改善するための治療ワクチンであって、該治療ワクチンは、少なくとも１つの該ウイルス由来の免疫原性タンパク質を含み、該動物への投与後に以下の応答：優先的なＴｈ１応答を反映するウイルス特異的免疫グロブリンサブクラスの増加した比、ウイルス特異的なインターフェロンγ／インターロイキン−１０（ＩＮＦγ／ＩＬ−１０）の増加した比、増加したＣＤ８＋  ＣＴＬレベル、および増加したＩＬ−１２レベル、を含む応答、を誘導する、治療ワクチン。
【請求項４６】
請求項４５に記載の治療ワクチンであって、前記ウイルスが、ヒト免疫不全ウイルス、サイトメガロウイルス、Ｃ型肝炎ウイルス、パピローマウイルス、エプスタイン-バーウイルス、水痘−帯状疱疹ウイルスおよび単純疱疹ウイルスからなる群より選択される、治療ワクチン。
【請求項４７】
請求項４６に記載の治療ワクチンであって、前記ウイルスが単純疱疹ウイルス−２であり、かつ少なくとも１つの前記単純疱疹ウイルス由来の免疫原性タンパク質が単純疱疹ウイルス−２由来である、治療ワクチン。
【請求項４８】
単純疱疹ウイルス−２変異体を含む、請求項４７に記載の治療ワクチン。
【請求項４９】
前記変異体が、プロテインキナーゼ活性を欠く変異体ＩＣＰ１０タンパク質をコードする、請求項４８に記載の治療ワクチン。
【請求項５０】
前記ワクチンが、免疫刺激剤およびアジュバントをさらに含有する、請求項４６に記載の治療ワクチン。
【請求項５１】
ウイルス性疾患を引き起こすウイルスに感染した動物において、該ウイルス性疾患を改善する薬剤を同定する方法であって、該方法が、動物に対して試験薬剤を投与する工程、それに対する免疫応答を分析する工程、およびＴｈ１応答を誘導する試験試薬を選択する工程、を包含する、方法。
【請求項５２】
請求項５１に記載の方法であって、前記Ｔｈ１応答が、優先的なＴｈ１応答を反映するウイルス特異的免疫グロブリンサブクラスの増加した比、ウイルス特異的なインターフェロンγ／インターロイキン−１０（ＩＮＦγ／ＩＬ−１０）の増加した比、増加したＣＤ８＋  ＣＴＬレベル、および増加したＩＬ−１２レベル、を含む、方法。
【請求項５３】
請求項５１に記載の方法であって、前記試験試薬が、ウイルス、変異体ウイルス、ＤＮＡ、ポリヌクレオチド、タンパク質、ペプチドおよびそれらの混合物からなる群より選択される、方法。
【発明の詳細な説明】
【０００１】
（関連出願の相互参照）
本願は、米国特許法第１１９条第（ｅ）項の下で、米国特許仮出願番号６０／２４９，３８７（２０００年１１月１６日出願）に対する優先権を主張する。
【０００２】
（連邦政府によって支援された研究または開発に関する声明）
本発明は、米国政府（Ｎａｔｉｏｎａｌ  Ｉｎｓｔｉｔｕｔｅ  ｏｆ  Ａｌｌｅｒｇｙ  ａｎｄ  Ｉｎｆｅｃｔｉｏｕｓ  Ｄｉｓｅａｓｅｓ助成金番号９６０１８４）から獲得した助成金を用いて一部分が実行された。米国政府は本発明において特定の権利を有し得る。
【０００３】
（発明の背景）
ヒト免疫不全ウイルス（ＨＩＶ）の流行性に応じて、教育的な試みがなされたにもかかわらず、性感染病の拡大は衰えず続いている。最近の研究は、米国において、２型単純疱疹ウイルス（ＨＳＶ−２）の年齢で調整した罹患率は、現在、２０．８％であり、過去１３年にわたって約３０％の増加であることを示している。全体的に、ＨＳＶ−２は１型ウイルス（ＨＳＶ−１）（顔面の病変を引き起こす）と５０％相同である。しかし、２つのウイルスは、身体の異なる部位に偏好を有し、再発性疾患を引き起こす異なる傾向を有する（ＨＳＶ−２およびＨＳＶ−１について、それぞれ、６０％および３０％）。これらは、異なる神経学的疾患（主に、ＨＳＶ−２は髄膜炎であり、ＨＳＶ−１は脳炎である）に関連し、そしてＨＳＶ−２のみが新生物形成能力を有す。若年成人におけるＨＳＶ−２獲得の増加する率は、分娩時に、乳児がＨＳＶ−２に曝露される可能性を増加させ、抗ウイルス治療にも関わらず、なお生命を脅かす感染を生じる。ＨＳＶ−２感染についての新たな関心は、ＨＳＶ−２感染が先に記されていない過剰増殖性病変を引き起こし、そしてＨＩＶの拡大およびこの疾患の重篤度の増大を促進することである。
【０００４】
ＨＳＶ−１またはＨＳＶ−２のいずれかの感染は、４段階：（ｉ）急性感染、（ｉｉ）潜伏期の確立、（ｉｉｉ）潜伏状態の持続および（ｉｖ）潜伏性ウイルスの再活性化、に分けられ得る。原発性ＨＳＶ感染の最も一般的な部位は、ＨＳＶ−１については顔面の粘膜であり、ＨＳＶ−２については生殖器の粘膜である。このウイルスは感染部位の細胞において複製し、原発性病変を生じる。ウイルスＤＮＡは、一般的に宿主の寿命を通じて潜伏状態で感覚神経に保持される。特定の刺激は、末梢部位への、ウイルス子孫の随伴性逆軸策輸送を伴う、門脈の入口または入口付近での、ウイルス複製の再活性化を引き起こす。潜伏性ウイルスゲノムの周期的な再活性化はウイルスの複製を生じ、しばしば、再発性疾患を引き起こす。しかし、再活性化がいつも再発性疾患を生じるとは限らない。感染した被験体の一部（ＨＳＶ−２およびＨＳＶ−１について、それぞれ、６０％および３０％）のみが再発性疾患を発症する。ＨＳＶ感染は、その後に体液性免疫およびＴ細胞媒介性免疫の発達が続く。感染した被験体は、ウイルス特異的抗体（ＩｇＧおよびＩｇＭ）の相対的に高い力価ならびにＴ細胞応答（その寿命の間持続する）を有し、そして感染の結果は、免疫状態によって影響され、免疫抑制された個体は、重篤な消耗性疾患を持続する。
【０００５】
再発性ＨＳＶ−２病変は、再発性疾患のモルモットモデル（Ｉｗａｓａｋａら、１９８３、Ｉｎｆｅｃｔ．Ｉｍｍｕｎ．４２：９５５−９６４）および感染した患者の両方において、ウイルス特異性Ｔ細胞応答の一過性の下方調節に関連する。ヒト患者において、Ｔ細胞の下方調節は、最初にニューロンのウイルス再活性化の時点で、前徴の間（病変の発生の１〜２日前）に見られ、症状がはっきりし始めたとき、病変の発症の３〜５日後でもはや見られなかった。Ｔｈ２サイトカイン（例えば、ＩＬ−６およびＩＬ−１０）の増加したレベルならびにＴｈ１サイトカイン（例えば、インターフェロンγ（ＩＦＮ−γ）レベルに随伴した減少によって明らかなように、下方調節は、２型（Ｔｈ２）集団（下方調節機能を有する）を優先する、ＨＳＶ特異的Ｔヘルパー細胞のバランスにおける移行を反映するようである。
【０００６】
Ｔｈ１サイトカイン遺伝子の同時投与は、ＤＮＡ予防ワクチンの能力を増強させることが示された（Ｓｉｎら、１９９９、Ｊ．Ｉｍｍｕｎｏｌ．１６２：２９１２−２９２１）。しかし、これらの因子がいくつかのＨＳＶ疾患（例えば、角膜炎（Ｎｉｅｍｉａｌｔｏｗｓｋｉら、１９９２、Ｊ．Ｉｍｍｕｎｏｌ．１４９：３０３５−３０３９）またはＨＳＶに関連する多形性紅斑（Ｊｏｎｅｓら、２０００、Ｊ．Ｇｅｎ．Ｖｉｒｏｌ．８１：Ｐｔ２：４０７−４１４）の病因に寄与するので、Ｔｈ１サイトカインまたはＩＬ−１２の投与は、再発性疾患の発症を予防する見込みのあるアプローチではなく、そしてこの状況におけるこれらの投与は、免疫病原性ＨＳＶ疾患の増加した重篤度に至る（Ｋａｎａｎｇａｔら、１９９６、Ｊ．Ｉｍｍｕｎｏｌ．１５６：１１１０−１１１６））。さらに、潜伏的に感染した三叉神経節におけるウイルスの再活性化は、ＣＤ８＋細胞傷害性Ｔ細胞（ＣＴＬ）によって最も効果的に阻害され（Ｌｉｕら、２０００、Ｊ．Ｅｘｐ．Ｍｅｄ．１９１：１４５９−１４６６）、Ｔｈ１サイトカイン単独の投与が再発性疾患を予防しないことを示す。しかし、例えそうであったとしても、ウイルスタンパク質（ＩＣＰ４７）によって妨害されるので、ＣＤ８＋  ＣＴＬは、ＨＳＶ感染によって不完全に誘導される（Ｊｕｇｏｖｉｃら、１９９８、Ｊ．Ｖｉｒｏｌ．７２：５０７６−８４）。
【０００７】
Ｐａｃｈｕｋら（米国特許第５，９５８，８９５号）は、改善されたＨＳＶワクチンプロトコルの設計について、主にＴｈ１から主にＴｈ２へ免疫応答を移行させる構築物を開示する。Ｐａｃｈｕｋらはさらに、Ｔｈ２応答がワクチンの改善された保護を提供することを提示する。しかし、再発性疾患の減少について所望された応答の徴候は提供されない。
【０００８】
Ｇｈｉａｓｉらは、ＣＤ８＋  ＣＴＬ細胞を含むＣＤ４＋が、両方ともＨＳＶ−１に対する保護に関与することを見出した（Ｇｈｉａｓｉら、２０００，Ｂｒ．Ｊ．Ｏｐｈｔｈａｌｍｏｌ．８４（４）：４０８−１２）。Ｇｈｉａｓｉ（米国特許第６，１９３，９８４号）はまた、ＨＳＶタンパク質の複合体混合物が、ＨＳＶに感染した動物において見出されるレベルより低いレベルで、抗体を生成するために使用され得ることを見出した。
【０００９】
ワクチン組換え体の研究は以下を示した：（ｉ）グリコシル化関連エピトープが、ウイルス糖タンパク質による保護的免疫の誘導に重要であること、（ｉｉ）保護は、非構造的ＨＳＶタンパク質を含むワクチン接種によって達成されること、（ｉｉｉ）保護的免疫の発達は、組換えベクターの構造に基づく「関連性のある」抗体提示に依存すること、ならびに（ｉｖ）致死的なＨＳＶ−２疾患からの防護および皮膚からの高用量ＨＳＶ−２のクリアランスは、主にウイルス特異的１型Ｔヘルパー（Ｔｈ１）免疫応答の機能であるが、ＣＤ８＋  ＣＴＬもまた関与すること（Ｗａｃｈｓｍａｎら、１９９２、Ｖａｃｃｉｎｅ  １０：４４７−４５４）。再発性疾患を予防する際のウイルス特異的免疫応答の役割は明らかでない。抗原コードプラスミドＤＮＡを用いる免疫化は、いくつかのモデルにおいて防護的免疫を誘導するが、他のモデルにおいては、免疫は不完全であることを示した。
【００１０】
治療ワクチンについては相対的にほとんど知られていない。サブユニット調製物は、再発性疾患における症状の頻度および重篤度の適度な減少を引き起こし、そしてウイルスの出芽（ｓｈｅｄｄｉｎｇ）の発生率を減少させたが、これらの効果は、強力なアジュバントの同時投与に依存した（Ｈｏら、１９８９，Ｊ．Ｖｉｒｏｌ．６３：２９５１−２９５８）。累積病変スコアにおける最小減少（３６％）は、１つ（別ではない）の経路によって与えられる、ｇＨ欠失ＨＳＶ組換え体で見られ（Ｂｏｕｒｓｎｅｌｌら、１９９７、Ｊ．Ｉｎｆ．Ｄｉｓ．１７５：１６−２５）、そしてこの免疫応答の役割は、まだ明らかでない。
【００１１】
ＩＣＰ１０ΔＰＫは、ＩＣＰ１０遺伝子のプロテインキナーゼ（ＰＫ）ドメインにおいて欠失を有する変異体ＨＳＶ−２ウイルスである。この変異体およびそのワクチンとしての特性は、米国特許第６，０１３，２６５号、同第６，０５４，１３１号および同第６，２０７，１６８号に記載されている。ＩＣＰ１０ΔＰＫ変異体は、新生物形成転換を引き起こさず、分裂促進性／増殖性Ｒａｓ／ＭＥＫ／ＭＡＰＫ経路を活性化できない（Ａｕｒｅｌｉａｎら、１９９９，Ｖａｃｃｉｎｅ  １７：１９５１−１９６３；Ｓｍｉｔｈら、２０００，Ｊ．Ｖｉｒｏｌ．７４：１０４１７−１０４２９）。ＨＳＶ−２が、感染した患者において大規模な過剰増殖性病変を引き起こし得ることを、最近の研究は示すので（Ｂｅａｓｌｅｙら、１９９７，Ｊ．Ａｍ．Ａｃａｄ．Ｄｅｒｍａｔｏｌ．３７：８６０−８６３）、この特性は臨床的に重要である。
【００１２】
ＩＣＰ１０ΔＰＫは、免疫系への提示のための広範な抗原性範囲を保持する。ＩＣＰ１０ΔＰＫは、マウスモデルにおいてＨＳＶ特異的体液性免疫およびＴ細胞免疫を誘導し（Ａｕｒｅｌｉａｎら、１９９９、Ｖａｃｃｉｎｅ  １７：１９５１−１９６３）、そしてモルモットにおいてＤＴＨ応答を誘導する（Ｗａｃｈｓｍａｎら、２００１、Ｖａｃｃｉｎｅ  １９：１８７９−１８９０）。しかし、ＨＳＶ−２感染動物の免疫が、既存のウイルス特異性免疫応答を調節し得（Ｔｈ１またはＴｈ２様プロフィールの増加したレベルに指向される）、そしてこの調節が抗原性刺激の形態に依存することが、ますます明らかになっている（Ｍｏｈａｍｅｄｉら、２０００、Ｖａｃｃｉｎｅ  １８，１７７８−１７９２）。ＩＣＰ１０ΔＰＫが、再発性疾患の発症を予防すること（すなわち、治療ワクチンであること）が本明細書中に示されるので、これは、疱疹の再発性疾患および他のウイルス性疾患（ここで、ウイルスが周期的に再発するか、または長期間にわたって存在する）を減少させ得る他の構築物の選択を導くための唯一のモデルを提供する。とりわけ、ＨＩＶ、サイトメガロウイルス、肝炎ウイルス、水痘−帯状疱疹ウイルス、ヒトパピローマウイルスおよびエプスタイン-バーウイルスである。
【００１３】
再発性疾患を改善する有用な治療ワクチンが同定され、そして使用され得るメカニズムを提供することが、当該分野において長い間必要だと感じられている。本発明は、この必要性を満たしている。
【００１４】
（発明の簡単な要旨）
本発明は、動物においてＴｈ１応答を誘導することによって、潜伏性に感染した動物において、再発性のウイルス性疾患の症状を予防するか、または減少させることに関する。
【００１５】
（発明の詳細な説明）
本発明は、特定の免疫応答（すなわち、Ｔヘルパー細胞１型（Ｔｈ１）応答）を誘発することを教示する。さらに詳細には、本発明は、Ｔｈ２応答と比較して、Ｔｈ１応答における増加を誘発する方法を教示する。さらに、本発明は、Ｔｈ２応答と比較して、Ｔｈ１応答における増加を誘発する化合物、およびこのような化合物の同定法を教示する。このような応答は、典型的には、１つ以上の以下の応答を含む：優先的なＴｈ１応答を反映するウイルス特異的な免疫グロブリンサブクラスの増加した比、ＩＦＮγ／ＩＬ−１０の増加した比、増加したＩＬ−１２レベル、および増加したＣＤ８＋ＣＴＬレベル。これらは、潜伏性感染する病原に対して特異的であり、それによって、病原の再活性化に関連する疾患症状の再発から潜伏性感染した動物を保護する。マウスにおける優先的なＴｈ１応答を反映するウイルス特異的な免疫グロブリンサブクラスの増加した比は本明細書中に記載されるように、ＩｇＧ２ａ／ＩｇＧ１比を増加させる。しかし、ヒトおよび他の動物において、応答の免疫グロブリンおよびそれらの比は、変動し得、以下の比を含み得ることが可能である：ＩｇＧ１／ＩｇＧ４、ＩｇＧ２／ＩｇＧ４、ＩｇＧ３／ＩｇＧ４、（ＩｇＧ１＋ＩｇＧ２+ＩｇＧ３）／ＩｇＧ４、（ＩｇＧ１＋ＩｇＧ２+ＩｇＧ３）／ＩｇＧ５、ＩｇＧ１／ＩｇＥ、ＩｇＧ２／ＩｇＥ、またはＩｇＧ３／ＩｇＥ。代表的には、このような病原は、代表的には、サイクルにおける潜伏段階および活性段階にあるウイルスである。このような病原の例としては、限定されないが、以下が挙げられる：単純性疱疹ウイルス（ＨＳＶ）、Ｃ型肝炎ウイルス（ＨＣＶ）、エプスタイン−バーウイルス（ＥＢＶ）、ヒトパピローマウイルス（ＨＰＶ）、サイトメガロウイルス（ＣＭＶ）、水痘−帯状疱疹ウイルス（ＶＺＶ）およびヒト免疫不全ウイルス（ＨＩＶ）。
【００１６】
１つの特定の実施形態において、本発明は、ＩＣＰ１０ＰＫドメインを欠く生きたＨＳＶ-２、従って、関連したプロテインキナーゼおよびオンコジーン活性を教示し、このオンコジーン活性は、固有の免疫応答を誘発し、この固有の免疫応答は、生きた野生型ＨＳＶ−２に感染した患者において保持され、この固有の免疫応答は、この保護的な固有免疫応答をも誘発し得る他のウイルス、化合物、組成物、薬剤または分子を同定するためのアッセイにおいて使用され得る。それゆえに、ＨＳＶ感染および再発性疾患に対する免疫に関連する特異的な免疫応答を誘発するための新規な方法ならびにこの免疫応答を誘発する薬剤を同定する新規な方法が開発されてきた。
【００１７】
本発明の１つの実施形態において、ＨＳＶ、あるいはＩＣＰ６ＰＫまたはＩＣＰ１０ＰＫタンパク質を欠くＨＳＶ由来のタンパク質の混合物は、優先的なウイルス特異的Ｔｈ１応答を誘発する免疫刺激剤もしくはアジュバントとともにまたはなしで投与される。このようなタンパク質はまた、優先的なウイルス特異的Ｔｈ１応答と誘導するための免疫刺激剤もしくはアジュバントの存在下もしくは非存在下で、ＨＳＶ  ＤＮＡあるいはＩＣＰ６ＰＫもしくはＩＣＰ１０ＰＫタンパク質をコードするＤＮＡを欠く、ＨＳＶタンパク質をコードするＤＮＡまたは核酸の混合物を投与することによって、間接的に投与され得る。いずれかの場合において、ウイルス特異的Ｔｈ１応答は、優先的なＴｈ１応答（例えば、マウスにおけるＩｇＧ２ａ／ＩｇＧ１またはヒトにおけるＩｇＧ１／ＩｇＧ４、ＩｇＧ２／ＩｇＧ４、ＩｇＧ３／ＩｇＧ４、（ＩｇＧ１＋ＩｇＧ２＋ＩｇＧ３）／ＩｇＧ４、（ＩｇＧ１＋ＩｇＧ２＋ＩｇＧ３）／ＩｇＧ５、ＩｇＧ１／ＩｇＥ、ＩｇＧ２／ＩｇＥ、もしくはＩｇＧ３／ＩｇＥ）を反映するウイルス特異的免疫グロブリンサブクラスの比を、投与前より少なくとも１５％、好ましくは、少なくとも２５％増加させ、従って、再発性疾患を減少させるための方法を提供することを含む。なおさらに好ましい実施形態において、比における増加は、少なくとも５０％である。より好ましい実施形態において、比における増加は、少なくとも７５％である。最も好ましい実施形態において、比における増加は、少なくとも９５％である。本明細書中に提供される開示に基づいて、Ｔｈ１応答は、免疫グロブリンサブクラスおよび比の両方において、異なる種の間で変動し得、応答を決定し測定するための適切な技術を使用することができることを当業者は知る。
【００１８】
１つ以上の増加した免疫グロブリンの比、増加したＣＤ８＋  ＣＴＬレベル、および増加したＩＬ−１２レベルに加えてまたはその代わりに、ウイルス特異的Ｔｈ１応答は、ウイルス特異的ＩＦＮγ／ＩＬ−１０の比における増加を含み得、その比は、Ｔ細胞のインビトロでの培養物または血液レベルのいずれかによって測定した場合、投与前の比を少なくとも１５％、好ましくは少なくとも２５％超え、従って、再発性疾患を減少させる方法を提供する。なおさらに好ましい実施形態において、比における増加は、少なくとも５０％である。より好ましい実施形態において、比における増加は、少なくとも７５％である。最も好ましい実施形態において、比における増加は、少なくとも９５％である。
【００１９】
１つ以上の増加した免疫グロブリンの比、ＩＦＮγ／ＩＬ−１０の比、およびＣＤ８＋  ＣＴＬレベル、に加えてまたはその代わりに、ウイルス特異的Ｔｈ１応答は、ＩＬ−１２レベルにおける増加を含み得、このレベルは、樹状細胞のインビトロでの培養物または血液レベルのいずれかによって測定する場合、投与前の比より少なくとも１５％、好ましくは少なくとも２５％超え、従って、再発性疾患を減少させる方法を提供する。別の実施形態において、増加は、少なくとも５０％である。より好ましい実施形態において、増加は、少なくとも７５％である。最も好ましい実施形態において、増加は、少なくとも９５％である。
【００２０】
１つ以上の増加した免疫グロブリンの比、ＩＦＮγ／ＩＬ−１０比、およびＩＬ−１２レベルに加えてまたはその代わりに、ウイルス特異的ＣＤ８＋  ＣＴＬレベルは、少なくとも１５％、より好ましくは少なくとも２５％、投与前のレベルを超えて増加され、従って、再発性疾患を減少させる方法を提供する。別の実施形態において、増加は、少なくとも５０％である。より好ましい実施形態において、増加は、少なくとも７５％である。最も好ましい実施形態において、増加は、少なくとも９５％である。
【００２１】
優先的なＴｈ１応答を反映する免疫グロブリンサブクラスにおける相対的な増加（例えば、マウスにおいて見られるＩｇＧ２ａ／ＩｇＧ１、またはヒトにおけるＩｇＧ１／ＩｇＧ４、ＩｇＧ２／ＩｇＧ４、ＩｇＧ３／ＩｇＧ４、（ＩｇＧ１＋ＩｇＧ２＋ＩｇＧ３）／ＩｇＧ４、（ＩｇＧ１＋ＩｇＧ２＋ＩｇＧ３）／ＩｇＧ５、ＩｇＧ１／ＩｇＥ、ＩｇＧ２／ＩｇＥ、もしくはＩｇＧ３／ＩｇＥ、ＩＦＮγ／ＩＬ−１０の比、ＩＬ−１２レベル、およびＣＤ８＋  ＣＴＬレベル）は、同じである必要はないが、全てが同程度まで増加することが好ましい。
【００２２】
ＩＣＰ１０ΔＰＫは、ＩＣＰ１０遺伝子のプロテインキナーゼ（ＰＫ）ドメインにおいて欠失を有する変異体ＨＳＶ-２ウイルスである。この変異体およびワクチンとしてのその性質は、米国特許第６，０１３，２６５号、同第６，０５４，１３１号、および同第６，２０７，１６８号に記載されている。ＨＳＶ−２変異体ＩＣＰ１０ΔＰＫは、これらの免疫特性を誘発するタンパク質の混合物を提供する１つの公知の方法である。米国特許第６，０１３，２６５号、同第６，０５４，１３１号、および同第６，２０７，１６８号は、本明細書中でその全体が記載されているかのように、参考として援用される。
【００２３】
ＩＣＰ６ＰＫは、ＨＳＶ-２におけるＩＣＰ１０ＰＫのＨＳＶ−１アナログである。ＨＳＶ−１、ＨＳＶ−１由来のタンパク質を有する再発性感染を処置するために、ＩＣＰ６ＰＫ以外が、ＨＳＶ−２に関して本明細書中に記載されるような同様の様式において使用され得る。本発明は、ＩＣＰ６ＰＫまたはＩＣＰ１０ＰＫが存在しない、全てのＨＳＶ株由来のＨＳＶタンパク質の全ての混合を含むように解釈されるべきである。
【００２４】
本発明において、ＩＣＰ１０ＰＫが存在しないＨＳＶタンパク質の混合物を用いるマウスの処置は、ＨＳＶ−２を有する動物の処置よりも、ＨＳＶ−２誘発に対するリンパ節細胞応答に関する異なる効果を導くことを示す。処置されたマウス由来のリンパ節細胞は、ＨＳＶ−２を用いて実質的に誘発される場合、ＩＣＰ１０  ＰＫを含むＨＳＶ−２タンパク質を用いて前処理した動物由来のリンパ節細胞より、大きいレベルのＩＦＮ−γおよびより低いレベルのＩＬ−１０を分泌する。ＩＦＮ−γ  対  ＩＬ−１０の比はまた、ＩＣＰ１０  ＰＫを欠くＨＳＶタンパク質で処置した動物由来の細胞においてより高い。さらに、これらは、ウイルス特異的Ｔｈ１応答を示すウイルス特異的ＩｇＧ抗体（ＩｇＧ２ａ／ＩｇＧ１比）の型の血清レベルを示す。さらに、それらは、ウイルス特異的ＣＤ８＋  ＣＴＬの増加したレベルを示す。これらのデータは、適切に選択したＨＳＶタンパク質混合物（ＩＣＰ１０ＰＫが存在しない）を用いたインビボでの前処理は、Ｔｈ１応答に対するウイルス特異的な免疫応答をゆがめ、再発性疾患の減少をもたらすことを示す。
【００２５】
本発明は、ＨＳＶタンパク質を有する、適切に選択された混合物（ＩＣＰ６ＰＫまたはＩＣＰ１０ＰＫが存在しない）を用いた動物の前処理によって誘導されるウイルス特異的Ｔｈ１応答が、樹状リンパ節細胞によるＩＬ−１２の増加した産生に続くＨＳＶ感染に基づくことをさらに示す。
【００２６】
本発明の別の実施形態において、ＨＩＶ感染を処置するために、ＨＩＶ−１  Ｅｎｖ、ｇｐ４１、およびＧａｇタンパク質、またはこれらのタンパク質をコードするＤＮＡの混合物の投与は、本発明において固定される変更された免疫グロブリンの比、ＩＦＮγ／ＩＬ−１０の比、ＩＬ−１２またはＣＤ８＋  ＣＴＬレベルを達成するために使用され得る（Ｎｇｏ−Ｇｉａｎｇ−Ｈｕｏｎｇら、２００１、ＡＩＤＳ  Ｒｅｓ．Ｈｕｍ．Ｒｅｔｒｏｖｉｒｕｓｅｓ  １７：１４３５−１４４６）。
【００２７】
ＣＭＶ感染を処置するための別の実施形態において、ホスホプロテインｐｐ６５およびｇＢタンパク質、またはこれらのタンパク質をコードするＤＮＡの混合物の投与は、密体（ｄｅｎｓｅ  ｂｏｄｙ）または密体をコードするＤＮＡに加えて、本発明において同定される免疫グロブリンの比、ＩＦＮγ／ＩＬ−１０の比、ＩＬ−１２またはＣＤ８＋  ＣＴＬレベル）を変更させるために使用され得る（Ｐｅｐｐｅｒｌら、２０００、Ｊ  Ｖｉｒｏｌ．７４：６１３２−４６）。
【００２８】
Ｃ型肝炎感染を処置するための、なお別の実施形態において、Ｃｏ．１２０、ヘリカーゼ、ＮＳ３、ＮＳ４およびＮＳ５タンパク質、またはこれらのタンパク質をコードするＤＮＡの混合物の投与は、本発明中に定義される免疫グロブリンの比、ＩＦＮγ／ＩＬ−１０の比、ＩＬ−１２またはＣＤ８＋  ＣＴＬレベルを変更するために使用され得る（Ａｌｖａｒｅｚ−Ｏｂｒｅｇｏｎら、２００１、Ｖａｃｃｉｎｅ  １９：３９４０−３９４６；Ｈｅｍｐｅｌら、２００１、Ｊ．Ｍｅｄ．Ｖｉｒｏｌ．６４：３４０−３４９）。
【００２９】
ヒトパピローマウイルス感染を処置するための実施形態において、ＨＰＶ−１６Ｅ２タンパク質のＣ末端ドメインおよびＮ末端ドメインならびにヒトパピローマウイルス（ＨＰＶ）１６型のａａ６〜３５タンパク質またはこれらのタンパク質をコードするＤＮＡの混合物の投与は、本発明中で同定される免疫グロブリンの比、ＩＦＮγ／ＩＬ−１０の比、ＩＬ−１２またはＣＤ８＋  ＣＴＬレベルを変更するために使用され得る（Ｂｏｎｔｋｅｓら、１９９９、Ｊ．Ｇｅｎ．Ｖｉｒｏｌ．８０：２４５３−２４５９；ｄｅ  Ｇｒｕｉｊｌら、１９９６、Ｉｎｔ．Ｊ．Ｃａｎｃｅｒ．６８：７３１−７３８）。
【００３０】
エプスタイン−バーウイルス感染を処置するための、なお別の実施形態において、ＥＢＮＡ１およびＥＢＮＡ３タンパク質またはこれらのタンパク質をコードするＤＮＡの混合物の投与は、本発明中で同定される免疫グロブリンの比、ＩＦＮγ／ＩＬ−１０の比、ＩＬ−１２またはＣＤ８＋  ＣＴＬレベルを変更するために使用され得る（Ｂｉｃｋｈａｍら、２００１，Ｊ．Ｃｌｉｎ．Ｉｎｖｅｓｔ．１０７：１２１−１３０）。
【００３１】
水痘帯状疱疹ウイルス感染を処置するための実施形態において、糖タンパク質ｇＥまたは糖タンパク質ｇＥをコードするＤＮＡの混合物の投与は、本発明中で同定される免疫グロブリンの比、ＩＦＮγ／ＩＬ−１０の比、ＩＬ−１２またはＣＤ８＋  ＣＴＬレベルを変更するために使用され得る（Ｈａｓａｎら、２０００、Ｖａｃｃｉｎｅ  １８：１５０６−１４）。
【００３２】
本発明は、用語「タンパク質を投与する」とは、タンパク質を直接的に投与することのみを意味するように限定されると解釈されるべきではない。本発明はまた、タンパク質の間接的な投与（例えば、ＤＮＡまたはタンパク質をコードする単離された核酸が投与される場合）を意味すると解釈されるべきである。
【００３３】
被験体を免疫することは、当該分野で周知の標準的な解釈、ならびに病原ウイルスで潜伏性感染した被験体における再発性疾患の症状を低減するための、本明細書中に開示される本発明の組成物および方法の治療用途を示す。
【００３４】
本発明はまた、潜伏性感染する病原に対するＴｈ１免疫応答を誘導する薬剤の同定またはスクリーニングの方法、ならびに動物（好ましくは、ヒト）に対してこのような組成物を投与して、このような応答を誘導し、それによって、動物に対して他の病原に関連する再発性疾患を予防する方法を含む。代表的には、このような他の組成物は、本明細書中に提供される開示に基づいて、変異体ウイルス系統またはタンパク質の混合物を調製することによって調製される。
【００３５】
ヒトに使用するためのウイルス特異的Ｔｈ１免疫応答を誘導する薬剤の処方は、安定化成分の存在下または非存在下、ならびに免疫刺激剤およびアジュバントの存在下または非存在下で、溶液中に懸濁することによって達成される。安定化剤、免疫刺激剤およびアジュバントの例としては、とりわけ、ミョウバン、油／水乳濁液、サポニン、不完全なフロイントのアジュバント、ＭＲ−５９（Ｃｈｉｒｏｎ  Ｃｏｒｐ．，Ｅｍｅｒｙｖｉｌｌｅ，ＣＡ）、ＭＴＰＰＥ、およびＭＰＬ（モノホスホリル脂質Ａ）が挙げられる。このような安定化剤、アジュバントおよび免疫刺激剤は、当該分野で周知であり、単一または組み合わせて使用され得る。ヒトにおけるＩｇＧ２またはマウスにおけるＩｇＧ２ａの産生を際立たせる刺激剤が特に好ましい。
【００３６】
本発明の組成物は、任意の動物（魚、両生類、鳥および哺乳動物を含む）（ここで、哺乳動物としては、サル、ブタ、ウマ、ウシ、イヌ、ネコ、およびヒトが挙げられるが、これらに限定されない）に投与され得る。この組成物は、任意の適切な投与様式（例えば、筋内、経口、皮下、皮内、膣内、直腸、または経鼻投与）を介して投与され得る。投与の好ましい様式は、経口、静脈内、皮下、筋内または皮内投与である。最も好ましい様式は、非経口（皮下投与を含む）である。
【００３７】
投与の頻度（必要な場合、追加免疫を含む）および免疫化に関連する他の技術は、当業者に周知であり、そうでなければすでに記載されるかまたは決定された技術が、過度の実験なしにそのようになされ得る。例えば、適切な免疫予防の、非毒性の、そして固有の免疫応答を誘導する量の本発明の組成物は、従来のワクチンにおける有効量の範囲の抗原であり得る。しかし、任意の特定の被験体に対する特定の用量レベルは、種々の因子（年齢、全身的健康、性別、および非検体の食餌を含む）に依存することが理解される。用量レベルに影響を与える他の因子としては、限定されないが、以下が挙げられる：投与時間、投与経路、投与される任意の他の薬物との相乗的な、添加の、または拮抗性の相互作用、および保護の量または探索された免疫応答の誘導レベル。例えば、組み合わせワクチンにおいて、本発明のワクチンの用量は、他のワクチン成分の干渉を停止させるように増加することが必要であり得る。
【００３８】
本発明の組成物、例えば、ＨＳＶ-２変異体、ＩＣＰ１０ΔＰＫを含む治療ワクチンは、当業者に周知の方法を用いて、他のワクチンと組み合わせて使用され得る。他のワクチンとしては、限定されないが、以下が挙げられる：肝炎、エプスタイン−バーウイルス、ヒトパピローマウイルスウイルス、天然痘ウイルス、ＨＩＶ、水痘、おたふく風邪、および麻疹のようなウイルスまたは疾患に対するワクチン。ＨＳＶに暴露する種々の方法および後に続くワクチンまたはワクチンの組み合わせの投与が含まれ、当業者に周知の方法を用いて決定され得、これらは、本明細書中に提供される開示に基づく。例えば、ＨＳＶまたは変異体ＨＳＶに対する被験体の暴露の後、被験体は、ＨＳＶワクチンおよび他のウイルスワクチン（ＨＳＶ−１、ＨＳＶ−２、ＨＳＶ−１の変異体、ＨＳＶ−２の変異体、ならびに他のウイルスおよび他の変異体を含む）の種々の組み合わせを投与され得る。種々の組み合わせは、当業者によって決定され得、この組み合わせは、本明細書中に提供される開示に基づく。
【００３９】
変異体ウイルスまたはウイルス特異的Ｔｈ１免疫応答を誘導する他の薬剤は、薬学的に受容可能なキャリアまたは希釈剤とともに投与され得る。このような薬学的に受容可能なキャリアまたは希釈剤の例としては、水、リン酸緩衝化生理食塩水または炭酸水素ナトリウム緩衝液が挙げられる。多くの他の受容可能なキャリアまたは希釈剤もまた、当該分野で公知である。
【００４０】
それゆえに、本発明は、ＨＳＶおよび他の潜伏性感染ウイルス病原に対する新規または固有の免疫応答、この応答を誘導するための新規の方法、この応答を誘導する薬物を同定するための新規の方法、ならびに再発性ウイルス疾患を改善させるための新規な方法を開発した。
【００４１】
（定義）
本明細書中で使用される冠詞「１つの（ａ）」および「１つの（ａｎ）」は、１つまたは１つより多い（すなわち、少なくとも１つ）の冠詞の文法上の対象をいう。例としては、「１つの要素（ａｎ  ｅｌｅｍｅｎｔ）」は、１つの要素または１つより多い要素を意味する。「複数の」は、少なくとも２つを意味する。
【００４２】
本明細書中で使用される場合、用語「約」または「少なくとも」は、記載される数よりも約５％少ないかまたは多いことを意味するために使用される。すなわち、「少なくとも２５％」は、「少なくとも２０〜３０％」を意味するが、語句「少なくとも」によって規定される任意の範囲に限定されない。
【００４３】
本明細書中で使用される場合、用語「改善する」は、感染または疾患の症状を改良または減らす処置、ならびに再発性疾患の活性段階に関連する症状の発生を防ぐかまたは減らす処置をいう。改善は、再発性の重篤度ならびに疾患の再発の発生率を減らすことの両方を含む。「再発性疾患を改善する」は、「再発性疾患を減らす」と交換可能に使用される。
【００４４】
本明細書中で使用される場合、用語「同時投与する」は、前、同時、または後を意味する。
【００４５】
本明細書中で使用される場合、「サイトカイン」は、細胞間シグナル伝達分子をいい、この最も公知の分子は、哺乳動物体細胞の調節に関連する。サイトカインの多くのファミリー、それらの効果における増殖を促進することおよび増殖を阻害することの両方は、以下を含むことを特徴とする：例えば、インターロイキン（例えば、ＩＬ−１α、ＩＬ−１β、ＩＬ−２、ＩＬ−３、ＩＬ−４、ＩＬ−５、ＩＬ−６、ＩＬ−７、ＩＬ−９（Ｐ４０）、ＩＬ−１０、ＩＬ−１１、ＩＬ−１２およびＩＬ−１３）；ＣＳＦ型サイトカイン（例えば、ＧＭ−ＣＳＦ、Ｇ−ＣＳＦ、Ｍ−ＣＳＦ、ＬＩＦ、ＥＰＯ、ＴＮＦ−αおよびＴＮＦ−β）；インターフェロン（例えば、ＩＦＮ−α、ＩＦＮ−β、およびＩＦＮ−γ）；ＴＧＦ−βファミリーのサイトカイン（例えば、ＴＧＦ−β１、ＴＧＦ−β２、ＴＧＦ−β３、インヒビンＡ、インヒビンＢ、アクチビンＡ、およびアクチビンＢ）；走化性因子（例えば、ＮＡＰ−１、ＭＣＰ−１、ＭＩＰ−１α、ＭＩＰ−１β、ＭＩＰ−２、ＳＩＳβ、ＳＩＳδ、ＳＩＳε、ＰＦ−４、ＰＢＰ、γＩＰ−１０、およびＭＧＳＡ）；増殖因子（例えば、ＥＧＦ、ＴＧＦ−α、ａＦＧＦ、ｂＦＧＦ、ＫＧＦ、ＰＤＧＦ−Ａ、ＰＤＧＦ−Ｂ、ＰＤ−ＥＣＧＦ、ＩＮＳ、ＩＧＦ−Ｉ、ＩＧＦ−ＩＩ、およびＮＧＦ−β）；α型インタークリンサイトカイン（例えば、ＩＬ−８、ＧＲＯ／ＭＧＳＡ、ＰＦ−４、ＰＢＰ／ＣＴＡＰ／βＴＧ、ＩＰ−１０、ＭＩＰ−２、ＫＣ、および９Ｅ３）；ならびにβ型インタークリンサイトカイン（例えば、ＭＣＡＦ、ＡＣＴ−２／ＰＡＴ、７４４/Ｇ２６、ＬＤ−７８／ＰＡＴ  ４６４、ＲＡＮＴＥＳ、Ｇ２６、Ｉ３０９、ＪＥ、ＴＣＡ３、ＭＩＰ−１α，ＢおよびＣＲＧ−２）。多くの他のサイトカインはまた、当業者に公知である。これらのサイトカインの供給源、特性、標的およびエフェクター活性が記載されている。
【００４６】
本明細書中で使用される場合、「疾患」は、動物が恒常性を維持することができない動物の健康状態である。
【００４７】
用語「疱疹」は、単純性疱疹ウイルスに関連する疾患を意味する。
【００４８】
抗原に対して「免疫する」との用語は、被験体に対して、組成物、タンパク質複合体、タンパク質複合体をコードするＤＮＡ、抗体または抗体をコードするＤＮＡ、タンパク質または抗体をコードするファージ含有ＤＮＡ、あるいはその表面でタンパク質または抗体を発現するファージを投与し、被験体における免疫応答を誘発することを意味する。好ましくは、免疫応答は、被験体に、抗原または抗原を発現する生物体によって引き起こされる疾患に対する保護を提供する。
【００４９】
本明細書中で使用されるような「単離された核酸」は、天然に生じる状態においてフランキングし、配列から分割された核酸セグメントまたはフラグメントをいう。この用語はまた、自然に核酸（例えば、ＲＮＡまたはＤＮＡ）に付随する他の成分またはタンパク質（細胞中で自然に核酸に付随する）から実質的に精製された核酸をいう。
【００５０】
本発明は、使用される核酸の性質によって限定されることを意図しない。標的核酸分子は、ネイティブまたは合成された核酸分子であり得る。核酸分子は、ウイルス、細菌、動物、ファージ、または植物源由来であり得る。核酸は、ＤＮＡまたはＲＮＡであり得、二本鎖、一本鎖、もしくは部分的に二本鎖の形態で存在し得る。さらに、核酸は、ウイルスまたは他の高分子の一部分に見い出され得る。例えば、Ｆａｓｂｅｎｄｅｒら、１９９６、Ｊ．Ｂｉｏｌ．Ｃｈｅｍ．２７２：６４７９−８９を参照のこと。
【００５１】
本発明において有用な核酸としては、例としてであって限定ではないが、以下が挙げられる：オリゴヌクレオチドおよびポリヌクレオチド；遺伝子治療のためのＤＮＡ；ウイルスＤＮＡおよび／またはＲＮＡを含むウイルスフラグメント；ＤＮＡおよび／またはＲＮＡキメラ；ｍＲＮＡ；プラスミド；コスミド；ｃＤＮＡ；遺伝子フラグメント；一本鎖ＤＮＡ、二本鎖ＤＮＡ、高次コイルＤＮＡおよび／または三重らせんＤＮＡを含むＤＮＡの種々の構造形態；Ｚ−ＤＮＡなど。核酸は、代表的に核酸を大量に調製するために使用される任意の従来の手段によって調製され得る。例えば、ＤＮＡおよびＲＮＡは、当該分野で周知の方法によって、市販の試薬および合成機を用いて化学的に合成され得る。ＲＮＡは、プラスミドを用いて、インビトロ転写を介して、高収率で生成され得る。
【００５２】
いくつかの状況において、増加したヌクレアーゼ安定性が望ましい場合、改変されたヌクレオシド間結合を有する核酸が望ましくあり得る。改変されたヌクレオシド間結合を含む核酸はまた、当該分野で周知の試薬および方法を用いて合成され得る。例えば、以下を含む核酸を合成するための方法が、当該分野で周知である：ホスホネートホスホロチオエート、ホスホロジチオエート、ホスホラミデートメトキシエチルホスホラミデート、ホルムアセタール、チオホルムアセタール、ジイソプロピルシリル、アセトアミデート、カルバメート、ジメチレンスルフィド（−ＣＨ２−Ｓ−ＣＨ２）、ジメチレンスルホキシド（−ＣＨ２−ＳＯ−ＣＨ２）、ジメチレンスルホン（−ＣＨ２−ＳＯ２−ＣＨ２）、２’−Ｏ−アルキル、および２’−デオキシ−２’−フルオロホスホロチオエートヌクレオシド間結合（Ｕｈｌｍａｎｎら、１９９０、Ｃｈｅｍ．Ｒｅｖ．９０：５４３−５８４；Ｓｃｈｎｅｉｄｅｒら、１９９０、Ｔｅｔｒａｈｅｄｒｏｎ  Ｌｅｔｔ．３１：３３５およびこれらの中で引用される参考文献を参照のこと）。
【００５３】
核酸は、当該分野で周知のように、任意の適切な手段によって精製され得る。例えば、核酸は、逆相ＨＰＬＣまたはイオン交換ＨＰＬＣ、サイズ排除クロマトグラフィー、あるいはゲル電気泳動によって精製され得る。もちろん、精製方法は、精製されるＤＮＡのサイズに部分的に依存することを、当業者は理解する。核酸との用語はまた、具体的には、５つの生物学的に生じる塩基（アデニン、グアニン、チミン、シトシン、およびウラシル）以外の塩基で構成される核酸を含む。
【００５４】
本明細書中で使用される場合、用語「薬学的に受容可能なキャリア」は、活性成分が組み合わされる化学組成物、およびその後の組み合わせが、被験体に対して活性成分を投与するために使用され得る組成物を意味する。
【００５５】
「ポリペプチド」は、アミノ酸残基で構成されるポリマー、関連する天然に生じる構造改変体、およびペプチド結合を介して連結される、その合成的な非天然に生じるアナログ、関連する天然に生じる構造改変体、ならびにその合成的な非天然に生じるアナログをいう。合成ポリペプチドは、例えば、自動化ポリペプチド合成機を用いて合成され得る。
【００５６】
用語「タンパク質」とは、代表的に、大きいポリペプチドまたは転写後変更されたポリペプチドをいう。
【００５７】
用語「ペプチド」とは、代表的に、短いポリペプチドまたは転写後変更されたポリペプチドをいう。
【００５８】
用語「再発性疾患」は、本明細書中で使用される場合、潜伏性ウイルスの再活性化後に生じるかまたは再発する疾患症状を意味する。
【００５９】
「治療的」とは、本明細書中で使用される場合、疾患を有するかまたは疾患の徴候を示す被験体に投与される、有利な効果を提供するに十分である処置をいう。有利な効果としては、再発性疾患を低減するような効果が挙げられる。予防的（ｐｒｏｐｈｙｌａｃｔｉｃまたはｐｒｅｖｅｎｔｉｖｅ）処置またはワクチンは、感染を予防する目的で、疾患を有しも疾患の徴候を示しもしない被験体に投与され、この疾患に関連する病理を発症する危険性を減少させるものである。
【００６０】
用語「ワクチン」は、本明細書中で使用される場合、動物に接種される場合に疾患またはその症状に対して動物を完全または部分的に保護するように働く、動物における免疫応答を刺激する効果を有する組成物を意味する。用語ワクチンは、予防的ワクチンまたは治療ワクチンを包含する。併用ワクチンは、２以上のワクチンを組み合わせるワクチンである。
【００６１】
（実施例）
以下に示される実施例は、さらなる手引きとして当業者に提供され、本発明のさらなる理解を容易にし、そしていかなるようにも本発明の限定として解釈されるべきではない。これらの実施例は、本発明の例示であり、限定ではない。
【００６２】
本明細書中に示される実施例１〜４に使用された材料を、ここで記載する。
【００６３】
５週齢のＳｗｉｓｓ  ＷｅｂｓｔｅｒマウスまたはＢＡＬＢ／ｃマウスを使用し、これらは、Ｃｈａｒｌｅｓ  Ｒｉｖｅｒ  Ｌａｂｓ、Ｗｉｌｍｉｎｇｔｏｎ、ＭＡから入手した。これらのマウスは、ＨＳＶ−２についての標準的な動物モデルであるので選択した。抗ＩＦＮ−γ抗体（Ｒ４−６Ａ２）、抗ＩＬ−１０抗体（ＪＥＳ５−２Ａ５）、ビオチン化抗ＩＦＮ−γ抗体（ＸＭＧ１．２）、抗ＩＬ−１２抗体（Ｃ１５．６）、ビオチン化抗ＩＬ−１２抗体（Ｃ１７．８）および抗ＩＬ−１０抗体（ＬＥＳＳ−１６Ｅ３）を、Ｐｈａｒｍｉｎｇｅｎ、Ｓａｎ  Ｄｉｅｇｏ、ＣＡから入手した。ヤギ抗マウスＩｇＧ、ＩｇＧ１およびＩｇＧ２ａならびにマウス抗ヒトＩｇＧ１およびＩｇＧ２を、Ｓｏｕｔｈｅｒｎ  Ｂｉｏｔｅｃｈｎｏｌｏｇｙ  Ａｓｓｏｃｉａｔｅｓ，Ｉｎｃ．、Ｂｉｒｍｉｎｇｈａｍ、ＡＬから入手した。抗体コーティングしたＤｙｎａｂｅａｄｓを、Ｄｙｎａｌ、Ｏｓｌｏ、Ｎｏｒｗａｙから入手した。組換えマウスＩＬ−１２を、Ｐｈａｒｍｉｎｇｅｎから入手した。ニトロセルロールメンブレン（Ｍｉｌｌｉｔｉｔｅｒ  ＨＡ）を、Ｍｉｌｌｉｐｏｒｅ、Ｂｅｄｆｏｒｄ、Ｍａｓｓａｃｈｕｓｅｔｔｓから入手した。ＨＳＶ−２抗原を、Ｓｏｕｔｈｅｒｎ  Ｂｉｏｔｅｃｈｎｏｌｏｇｙ  Ａｓｓｏｃｉａｔｅｓ，Ｉｎｃ．、Ｂｉｒｍｉｎｇｈａｍ、ＡＬから入手した。
【００６４】
（実施例１．ＩＣＰ１０ΔＰＫによって誘発されるＨＳＶ特異的免疫応答は、優勢なＴｈ１パターンを証明する）
本実施例に示される実験において使用した方法を、ここで記載する。
【００６５】
マウス（Ｓｗｉｓｓ  Ｗｅｂｓｔｅｒ、５週齢、Ｃｈａｒｌｅｓ  Ｒｉｖｅｒ）に、ＨＳＶ−２（１×１０６プラーク形成単位（ｐｆｕ））またはＩＣＰ１０ΔＰＫ（３×１０６ｐｆｕ）を、足蹠で皮下接種することによって感染させた。これらに、１０日間の間隔を開けて、２回または３回の注射を与えた。膝窩リンパ節細胞（ＬＮＣ）を、最後の注射の３、５および１０日後に回収し、そして１０μｇ／ｍｌのＨＳＶ−２抗原と共に、ＲＰＭＩ−１０％ＦＣＳ（完全培地）中で培養した（４×１０６細胞／ｍｌ）。インターフェロン−γ（ＩＦＮ−γ）を分泌する細胞（Ｔｈ１）またはインターロイキン１０（ＩＬ−１０）を分泌する細胞（Ｔｈ２）を、培養の１〜５日目に、ＥＬＩＳＰＯＴアッセイにおいて同定した。新たに単離したＬＮＣをまた、ＥＬＩＳＰＯＴアッセイを使用して、ＩＦＮ−γまたはＩＬ−１０を分泌する細胞について研究した。また、いくつかの実験において、このＬＮＣを、抗体コーティング磁石ビーズ（Ｄｙｎａｂｅａｄｓ；Ｄｙｎａｌ、Ｏｓｌｏ、Ｎｏｒｗａｙ）を使用して、ＣＤ４＋またはＣＤ８＋Ｔ細胞を枯渇させ、ＨＳＶ−２抗原（１０μｇ／ｍｌ）と共に培養し、そしてＥＬＩＳＰＯＴによって上記のようにアッセイした。
【００６６】
ＥＬＩＳＰＯＴアッセイを、以前に記載されたように実施した。簡潔には、ニトロセルロースメンブレン基部を含む９６ウェルプレート（Ｍｉｌｌｉｔｉｔｅｒ  ＨＡ、Ｍｉｌｌｉｐｏｒｅ）を、ＰＢＳ中２μｇ／ｍｌ（１００μｌ／ウェル）の濃度で抗ＩＦＮ−γ  ｍＡｂ（Ｒ４−６Ａ２：Ｐｈａｒｍｉｎｇｅｎ、Ｓａｎ  Ｄｉｅｇｏ、ＣＡ）または抗ＩＬ−１０  ｍＡｂ（ＪＥＳ５−２Ａ５：Ｐｈａｒｍｉｎｇｅｎ）を用いて、４℃にて一晩コーティングした。ウェルをＰＢＳで２回洗浄し、次いで室温にて１時間、完全培地でブロッキングした。刺激または未刺激のＬＮＣを個々のウェルに添加し（１×１０５細胞／ウェル）、そして３７℃で２０時間インキュベートした。ウェルを、ＰＢＳ−０．５％Ｔｗｅｅｎ２０で洗浄して（４×）、細胞を除去し、ＰＢＳ−Ｔｗｅｅｎ中２μｇ／ｍｌの濃度で、１００μｌのビオチン化抗ＩＦＮ−γ  ｍＡｂ（ＸＭＧ１．２：Ｐｈａｒｍｉｎｇｅｎ）または抗ＩＬ−１０  ｍＡｂ（ＪＥＳ５−１６Ｅ３：Ｐｈａｒｍｉｎｇｅｎ）と共に、室温にて１時間インキュベートした。ＰＢＳ−Ｔｗｅｅｎでの洗浄後、反応を、ＰＢＳ−Ｔｗｅｅｎ中１：１０００で希釈した１００μｌのアビジン−ペルオキシダーゼと共にインキュベート（３０分間；室温）することによって進め、その後３−アミノ−９−エチルカルバゾール（ＡＥＣ）を加えた。特異的サイトカインを分泌する細胞のコロニーを示すスポット（ＳＦＣ）を計数し、そして３つの独立した実験から得られた結果を平均した。これらの結果を、ＳＦＣ／１０５細胞±ＳＥＭとして示す。
【００６７】
２回の免疫を与えたマウス由来のＬＮＣにおいて、ＩＦＮ−γを分泌する細胞数は、ＨＳＶ−２およびＩＣＰ１０ΔＰＫの両方について、接種後３日目にピークに達したが、その後減少した。接種後３日目で、ＳＦＣ／１０５細胞は、ＨＳＶ−２について１３８±２０であり、ＩＣＰ１０ΔＰＫについて１８２±４０であった。しかし、ＩＬ−１０を分泌する細胞数は、感染後３日目および５日目の両方において、ＩＣＰ１０ΔＰＫについてよりも、ＨＳＶ−２についてより高く、その結果、ＩＦＮ−γ／ＩＬ−１０  ＳＦＣの比は、ＨＳＶ−２（感染後、３日目および５日目において、それぞれ、２．０±０．１３および２±０．０７）よりも、ＩＣＰ１０ΔＰＫ（感染後、３日目および５日目において、それぞれ、３．８±０．３８および４．０±０．３６）について、有意に高かった。より高いＩＦＮ−γ／ＩＬ−１０  ＳＦＣの比は、ＩＣＰ１０ΔＰＫについて、感染後１０日目でもなお観察された（ＩＣＰ１０ΔＰＫおよびＨＳＶ−２について、ぞれぞれ、４．４±１．１および２．１±０．０８）。ＩＦＮ−γ／ＩＬ−１０  ＳＦＣの比はまた、ＨＳＶ−２（３．４±０．１６）と比較して、ＩＣＰ１０ΔＰＫ（５．３±０．３９）で感染されたマウスから新たに単離されたＬＮＣにおいて、より高かった。ＩＦＮ−γまたはＩＬ−１０を分泌する細胞数は、ＨＳＶ−２感染したマウス由来のＬＮＣおよびＩＣＰ１０ΔＰＫ感染したマウス由来のＬＮＣの両方について、培養物時間と共に増加し、２〜３日目に最大レベルに達し、その後減少した。培養５日目に、ＩＬ−１０産生細胞は、ＨＳＶ−２についてなお観察されたが、ＩＣＰ１０ΔＰＫについては観察されなかった。この差異は、この時点でのＨＳＶ−２よりもＩＣＰ１０ΔＰＫについてのより高いＩＦＮ−γ／ＩＬ−１０  ＳＦＣの比に反映される。３回の免疫を与えた動物において、感染後１０日目に回収されたＬＮＣのＩＦＮ−γ／ＩＬ−１０  ＳＦＣの比もまた、ＨＳＶ−２（１．９±０．２）よりもＩＣＰ１０ΔＰＫ（５．３±０．７）について、より高かった。このデータは、ＩＣＰ１０ΔＰＫに対するインビボの曝露が、Ｔｈ１機能を好む応答に偏向し、そしてＨＳＶ−２抗原に対するインビトロの再曝露は、このバランスに負に影響しなかったことを示すと解釈され得る。
【００６８】
この結果の妥当性を確認するために、上記で研究したＬＮＣ培養物の上清を、ＩＦＮ−γおよびＩＬ−１０のレベルについてアッセイした。ＥＬＩＳＡを、捕捉抗体として、抗ＩＦＮ−γ  ｍＡｂ（Ｒ４−６Ａ２：Ｐｈａｒｍｉｎｇｅｎ）および抗ＩＬ−１０  ｍＡｂ（ＪＥＳ５−２Ａ５：Ｐｈａｒｍｉｎｇｅｎ）を使用し、検出抗体として、ビオチン化抗ＩＦＮ−γ  ｍＡｂ（ＸＭＧ１．２：Ｐｈａｒｍｉｎｇｅｎ）および抗ＩＬ−１０  ｍＡｂ（ＪＥＳ５−６Ｅ３：Ｐｈａｒｍｉｎｇｅｎ）を使用して実行した。組換えマウスＩＦＮ−γおよびＩＬ−１０（Ｐｈａｒｍｉｎｇｅｎ）をコントロールとして使用して、標準曲線を作製した。これらの研究の結果は、ＩＬ−１０のレベルが、ＨＳＶ刺激（または未刺激）ＬＮＣの上清において、ＨＳＶ−２免疫した動物由来のＬＮＣよりも、ＩＣＰ１０ΔＰＫ免疫した動物由来のＬＮＣにおいて有意に低かった（それぞれ、４１８４±３５８および９２４±１０２ｐｇ／ｍｌ）ことを示した。ＥＬＩＳＰＯＴアッセイおよびＥＬＩＳＡアッセイの両方において、枯渇研究は、ＩＦＮ−γおよびＩＬ−１０の両方が、ＣＤ４＋細胞によって産生されることを示した。従って、ＨＳＶ−２感染マウス由来のＬＮＣにおける、サイトカイン分泌細胞コロニーの数（ＩＦＮ−γおよびＩＬ−１０について、それぞれ、７７±５．６および３７．２±４．２）は、ＣＤ４＋細胞の枯渇によって有意に減少した（ＩＦＮ−γおよびＩＬ−１０について、それぞれ、７．６±１．３および３．８±１．０）が、ＣＤ８＋  ＣＴＬ細胞の枯渇は、サイトカイン分泌細胞の数を減少させなかった（ＩＦＮ−γおよびＩＬ−１０について、それぞれ、７０±１１および３５．５±５．６）。同様の結果が、上清中のサイトカインレベルについて得られた。ＨＳＶ−２感染マウス由来のＬＮＣの培養物において、ＩＦＮ−γレベルは、非分画培養物およびＣＤ８枯渇培養物について、７８３４±５７８および７６０８±５１３ｐｇ／ｍｌであったが、ＣＤ４枯渇培養物についてはほんの６７７±５１ｐｇ／ｍｌであった。ＩＣＰ１０ΔＰＫ感染マウス由来のＬＮＣの培養物におけるＩＦＮ−γは、非分画培養物、ＣＤ８枯渇培養物およびＣＤ４枯渇培養物について、それぞれ、４８２２±１９１、４７２４±４９３および５１２±３６ｐｇ／ｍｌであった。ＩＬ−１０レベルは、ＨＳＶ−２感染動物由来の、非分画ＬＮＣ培養物、ＣＤ８枯渇ＬＮＣ培養物およびＣＤ４枯渇ＬＮＣ培養物について、４１８４±３５８、３８４７±２６５および３７８±３．５ｐｇ／ｍｌであり、そして、ＩＣＰ１０ΔＰＫ感染動物由来の、非分画ＬＮＣ培養物、ＣＤ８枯渇ＬＮＣ培養物およびＣＤ４枯渇ＬＮＣ培養物について、９２４±１０３、８６９±６３および７８±３ｐｇ／ｍｌであった。動物は２回の注射を与えられ、かつＬＮＣは、感染後１〜１０日目に回収されたので、ＩＣＰ１０ΔＰＫに対する二次曝露は、局所的なＨＳＶ特異的Ｔｈ１応答を増強するようであるが、ＨＳＶ−２での同様の感染は、ＨＳＶ特異的Ｔｈ２応答を好むようである。
【００６９】
ＩＣＰ１０ΔＰＫがＴｈ１機能を好むという結果はまた、２種のウイルスによって誘導されるＩｇＧ抗体の型によって支持される。マウスに、１０日間隔で３回、ＨＳＶ−２（１０６ｐｆｕ）またはＩＣＰ１０ΔＰＫ（３×１０６ｐｆｕ）を足蹠において感染させた。最後の感染の１４日後に血清を収集し、そしてＨＳＶ特異的ＩｇＧ、ＩｇＧ１（Ｔｈ２細胞に依存）およびＩｇＧ２ａ（Ｔｈ２細胞に依存）について、ＥＬＩＳＡによってアッセイした。簡潔には、ＥＬＩＳＡプレートを、ＨＳＶ−２抗原（５０μｇ／ｍｌ）または標準曲線のためのコントロールとして使用されるヤギ抗マウスＩｇＧ（Ｓｏｕｔｈｅｒｎ  Ｂｉｏｔｅｃｈｎｏｌｏｇｙ  Ａｓｓｏｃｉａｔｅｓ  Ｉｎｃ．、Ｂｉｒｍｉｎｇｈａｍ、ＡＬ）（２μｇ／ｍｌ）でコーティングし、４℃にて一晩インキュベートした。このプレートを、ＰＢＳ−Ｔｗｅｅｎで洗浄し、そして３７℃にて１時間、ＰＢＳ−１０％  ＦＣＳでブロッキングした。標準曲線について、ＩｇＧ、ＩｇＧ１またはＩｇＧ２ａ（Ｓｏｕｔｈｅｒｎ  Ｂｉｏｔｅｃｈｎｏｌｏｇｙ  Ａｓｓｏｃｉａｔｅｓ）の連続希釈をコントロールプレートに添加し、一方、血清サンプルの連続希釈をＨＳＶコーティングしたプレートに添加した。３７℃で２時間後、これらのウェルを洗浄し、そして西洋ワサビペルオキシダーゼに結合体化したヤギ抗マウスＩｇＧ、ＩｇＧ１またはＩｇＧ２ａ重鎖特異的抗体（Ｓｏｕｔｈｅｒｎ  Ｂｉｏｔｅｃｈｎｏｌｏｇｙ  Ａｓｓｏｃｉａｔｅｓ）を添加した。３７℃で１時間のインキュベーション後、基質２，２−アジノ−ビス３−エチルベンズ−チアゾリン（ｔｈｉａｓｏｌｉｎｅ）−６−スルホン酸（ＡＢＴＳ）を、発色のためにウェルに添加した。これらのウェルを、ＥＬＩＳＡ  ２５５０  ＥＩＡリーダー（ＢｉｏＲａｄ、Ｈｅｒｃｕｌｅｓ、ＣＡ）を用いて４５０ｎｍで読み取った。ＨＳＶ特異的ＩｇＧの総レベルは、ＨＳＶ−２（３６７６±７３５ｎｇ／ｍｌ）よりも、ＩＣＰ１０ΔＰＫ（７５８１±２０５２ｎｇ／ｍｌ）についてより高かった。ＨＳＶ特異的ＩｇＧ１のレベルは、ＩｇＧ２ａのレベル（ＩＣＰ１０ΔＰＫおよびＨＳＶ−２について、それぞれ、３３３８±７７４ｎｇ／ｍｌおよび５３７±９９ｎｇ／ｍｌ）同様、ＨＳＶ−２についてよりもＩＣＰ１０ΔＰＫについてより高かった（それぞれ、３８１±６０および１６０９±４０８ｎｇ／ｍｌ）。ＩｇＧ２ａ／ＩｇＧ１の比として表されるＩｇＧアイソフォームのバランスは、ＩＣＰ１０ΔＰＫについてＩｇＧ２ａを好んだが（２．１±０．１７）、ＨＳＶ−２については好まなかった（１．４１±０．１９）。
【００７０】
（実施例２．ＩＣＰ１０ΔＰＫ免疫は、樹状細胞による高レベルのＩＬ−１２の産生を引き起こす）
樹状細胞は、ＩＬ−１２（これは、抗原に対する応答を生じる）のレベルに基づいて、免疫応答が、Ｔｈ１であるかＴｈ２であるかを決定することに関与する。高ＩＬ−１２レベルは、Ｔｈ１を好む応答（ＩＦＮ−γ産生を含む）に偏向する（Ｒｉｆｆａｕｂｔら、２０００、Ｊ．Ｇｅｎ．Ｖｉｒｏｌ．８１：２３６５−２３７３）。
【００７１】
本実施例に示される実験において使用した材料および方法を、ここに記載する。
【００７２】
この一連の実験を、ＩＣＰ１０ΔＰＫ感染動物由来の樹状細胞によるＩＬ−１２産生がまた、ＨＳＶ−２に感染した動物において観察されるよりも高いか否かを決定するために設計した。ＢＡＬＢ／ｃマウス（５週齢、Ｃｈａｒｌｅｓ  Ｒｉｖｅｒ）に、１０日間の間隔をあけて、ＨＳＶ−２（１０６ｐｆｕ）またはＩＣＰ１０ΔＰＫ（３×１０６ｐｆｕ）を用いて足蹠に３回注射し、そして膝窩ＬＮＣを、最後の追加免疫の２４時間後に回収した。樹状細胞を、メトリザミド勾配遠心分離によって単離した。簡潔には、２ｍｌの完全倍地中１４．５％のメトリザミド（Ｓｉｇｍａ、Ｓａｉｎｔ  Ｌｏｕｉｓ、ＭＯ）を、１５ｍｌのコニカル試験管の底に層状にし、そして８ｍｌの細胞懸濁物で穏やかに重層した。遠心分離（６００×ｇ、２０分間、４℃）後、樹状細胞に富んだ界面を収集し、そして細胞を、ＨＳＶ−２抗原（１０μｇ／ｍｌ）を含むかまたは含まない、２５ｎｇ／ｍｌのＧＭ−ＣＳＦおよび５ｎｇ／ｍｌのＩＬ−４を含む、９６ウェルの丸底プレート中で培養した（６×１０４／ウェル）。培養物上清を、培養の３日目および５日目に、新鮮な培地に移しかえた。最後の培地置換の１２時間後、培養物上清を収集し、そしてＩＬ−１２の濃度をＥＬＩＳＡによって測定した。このアッセイを、捕捉抗体として抗ＩＬ−１２（Ｃ１５．６：Ｐｈａｒｍｉｎｇｅｎ）ｍＡｂを使用し、検出抗体としてビオチン化抗ＩＬ−１２（Ｃ１７．８：Ｐｈａｒｍｉｎｇｅｎ）ｍＡｂを使用し、そして標準曲線についてのコントロールとして組換えマウスＩＬ−１２（Ｐｈａｒｍｉｎｇｅｎ）を使用して、上記のように実行した。このデータは、ＩＬ−１２レベルが、ＨＳＶ−２を与えたマウス由来の樹状細胞の培養物（１７．２±０．６ｎｇ／ｍｌ）より、ＩＣＰ１０ΔＰＫを与えたマウス由来の樹状細胞の培養物（６３．６±８ｎｇ／ｍｌ）において有意に高かったことを示す。ＩＬ−１２レベルは、ＨＳＶ−２抗原の存在下または非存在下でなされた培養物において類似であり、このことは、増大したＩＬ−１２産生が、（培養物中の）抗原に対するさらなる曝露に依存しないことを示した。
【００７３】
（実施例３．ＩＣＰ１０ΔＰＫは、ＣＤ８＋  ＣＴＬを誘導する）
以前の研究は、ＣＤ８＋  ＣＴＬ活性が、ＩＬ−１２およびＩＦＮ−γの増大したレベルによって増強されることを示した（ＭｃＮａｌｌｙら、１９９９、Ｉｍｍｕｎｏｌｏｇｙ  １６３：６７５−６８１）。ＩＣＰ１０ΔＰＫが、樹状細胞によるＩＬ−１２産生の増大および増強されたＴｈ１応答（より高レベルのＩＦＮ−γ）に向かう免疫応答を調節することが示されているので、これが、ＣＤ８＋  ＣＴＬを好む応答に偏向するか否かを次に決定した。
【００７４】
本実施例において示される実験に使用した材料および方法を、ここに記載する。
【００７５】
ＢＡＬＢ／ｃマウスを、１０日間の間隔で２回感染させた。感染は、足蹠で、ＨＳＶ−２（１×１０６ｐｆｕ）またはＩＣＰ１０ΔＰＫ（３×１０６ｐｆｕ）を用いた。ＩＣＰ１０のＲＲドメインを欠失したＨＳＶ−２変異体（ＩＣＰ１０ΔＲＲ；３×１０６ｐｆｕ）を、変異体ウイルスによる感染に対する非特異的影響についてのコントロールとして使用した。膝窩ＬＮＣを、最後の追加免疫の５日後に収集した。細胞（２×１０６／ｍｌ）を、完全培地中で３７℃にて３日間培養した。非接着細胞を完全培地で１回洗浄し、エフェクターとして使用した。いくつかの実験において、ＬＮＣを、インビトロの培養の前に、抗体コーティングしたＤｙｎａｂｅａｄｓ（Ｄｙｎａｌ）を使用して、ＣＤ４＋またはＣＤ８＋  ＣＴＬ細胞を枯渇させた。１０％の熱不活化ＦＣＳを有するダルベッコ改変培地（ＤＭＥＭ）中で増殖したｍＫＳＡ（Ｈ−２ｄ）細胞に、１０ＰＦＵ／細胞のＨＳＶ−２で１７時間感染させ、そして１００μＣｉの５１Ｃｒで最後の１６時間標識した。これらを、ＤＭＥＭで洗浄し、トリプシン処理し、ＤＭＥＭでさらに３回洗浄し、そして生存細胞を標的として使用した。これらを、完全培地中で再懸濁して、２×１０５細胞／ｍｌの最終濃度にし、そして所望のエフェクター：標的の比（Ｅ：Ｔ）を生じるように調節された等量のエフェクターを含む、９６ウェルの丸底プレート中に分配した（１００ｍｌ中、２×１０４細胞／ウェル）。プレートを遠心分離し（２００×ｇ、２分間）、３７℃で６時間インキュベートし、そして再び遠心分離し（２００×ｇ、５分間）、そして上清液への５１Ｃｒの放出を、Ｂｅｃｋｍａｎ  Ｇａｍｍａ  Ｃｏｕｎｔｅｒ（Ｂｅｃｋｍａｎ  Ｃｏｕｌｔｅｒ、Ｆｕｌｌｅｒｔｏｎ、ＣＡ）で計数した。自然放出を、エフェクター細胞なしで標的細胞をインキュベートすることによって決定した。最大の放出を、５％ＳＤＳで標的細胞を溶解することによって決定した。特異的細胞傷害性％を、以下の式から決定した：％特異的５１Ｃｒ放出＝実験放出−自然放出／最大放出−自然放出。
【００７６】
ＩＣＰ１０ΔＰＫに感染した動物由来の非分画ＬＮＣのＣＴＬ活性（２０：１で１８±１．３％）は、ＨＳＶ−２を与えた動物由来の非分画ＬＮＣのＣＴＬ活性（２０：１で７±０．４％）よりも高かった。ＣＤ８＋  ＣＴＬ細胞の枯渇は、ＩＣＰ１０ΔＰＫ免疫マウス由来のＬＮＣのＣＴＬ活性の有意な減少を生じた（非分画細胞の１００％に対して、８０：１、４０：１および２０：１で、％溶解＝４６．７、３４．１および２８．７）。ＣＤ４＋細胞の枯渇は、ＣＴＬ活性を減少させなかった。対照的に、ＨＳＶ−２感染動物由来のＬＣＮのＣＴＬ活性は、ＣＤ４＋細胞の枯渇によって減少した（非分画細胞の１００％に対して、８０：１、４０：１および２０：１で、％溶解＝４３．７、３８．９および２６．１）、ＣＤ８＋細胞の枯渇は、ＣＴＬ活性を減少させなかった。このデータは、ＩＣＰ１０ΔＰＫが、ＨＳＶ−２が誘導しないＣＤ８＋  ＣＴＬを誘導することを示す。
【００７７】
重要なことに、ＩＣＰ１０ΔＲＲに感染したマウス由来のＬＮＣもまた、ＣＴＬ活性を有した（２０：１で１３±０．６％）。この活性は、ＨＳＶ−２について観察されたレベルよりもいくらか低いレベルではあるものの、ＣＤ４＋  Ｔ細胞の枯渇によって有意に減少した（非分画細胞の１００％に対して、８０：１、４０：１および２０：１で、％溶解＝１５４．７、５５．６および５０．１）。ＣＴＬ活性の最小の減少はまた、高いＥ：Ｔ比でのみ、ＣＤ８＋細胞の枯渇によって観察され（非分画細胞の１００％に対して、８０：１、４０：１および２０：１で、％溶解＝７７、７４および８９）、ＨＳＶ−２についても観察されたように、ＣＴＬ活性が、ＣＤ４＋細胞によって主に媒介されることを示唆する。理論に束縛されることを望まないが、このデータは、ＩＣＰ１０ＰＫタンパク質が、ＣＤ８＋  ＣＴＬの誘導を妨害することを示すと解釈され得る。
【００７８】
（実施例４．ＩＣＰ１０ΔＰＫは、ＨＳＶ−２のＨＳＶ記憶応答と類似のＨＳｖ記憶応答を誘導する）
ＩＣＰ１０ΔＰＫが、局所的（ＬＮＣ）Ｔｈ１応答および全身性（血清）Ｔｈ１応答（ウイルスに対する再曝露（２回目または３回目の追加免疫）の直後のＣＤ８＋  ＣＴＬを含む）の誘導を好むことが示されているので、本発明者らは、これが、長期免疫記憶を誘導し得るか否かを知ることを望んだ。この問題に対処するために、記憶ＣＴＬアッセイを使用した。
【００７９】
本実施例において示される実験において使用した材料および方法を、ここに記載する。
【００８０】
ＢＡＬＢ／ｃマウスに、腹腔内接種によって、ＩＣＰ１０ΔＰＫ（３×１０６ｐｆｕ）またはＨＳＶ−２（１×１０６ｐｆｕ）を感染させ、脾細胞を感染後３０日目に収集した。細胞（１×１０７／ウェル）を、２４ウェルのプレートにおいて、ＨＳＶ−２（５×１０５ｐｆｕ）で１６時間感染させ、そしてマイトマイシンＣ処理（５０μｇ／ｍｌ；３０分間）されたｍＫＳＡ細胞と一緒に培養した。培養５日目に、細胞を収集し、そして上記のように行われるＣＴＬアッセイにおいてエフェクターとして使用した。これらの結果は、記憶ＣＴＬ活性が両方のウイルスについて類似であることを示し、ＩＣＰ１０ΔＰＫが、ＨＳＶ−２が誘導する応答と類似の記憶ＣＴＬ応答を誘導することを示す。
【００８１】
理論に束縛されることを望まないが、これらの研究は、ＨＳＶ−２に対して、ＩＣＰ１０ΔＰＫが、ＣＤ８＋  ＣＴＬを含むＨＳＶ特異的Ｔｈ１免疫の誘導を好むことを示す。この応答は、局所的（ＬＮＣ）および全身性（血清）の両方であり、樹状細胞によるＩＬ−１２産生の増大によって媒介されるようである。ＣＤ８＋  ＣＴＬを含むＴｈ１は、ウイルス抗原に対する再曝露に対する迅速な応答であり、従って、再活性化された神経節ウイルスの複製を含み得、それによって再発性疾患の発症を予防する。対照的に、ＨＳＶ−２に感染した動物における免疫応答は、Ｔｈ２機能に向かって偏向し（おそらく、樹状細胞によるより低いＩＬ−１２産生に関連する）、そして検出可能なレベルのＣＤ８＋  ＣＴＬは存在しない。このように、再活性化された神経節ウイルスの複製は、邪魔されずに進み、再発性疾患の発症を生じる。
【００８２】
（実施例５．稀な再発を有するヒト患者におけるＨＳＶ特異的抗体は、主にＩｇＧ１である）
稀な再発性ＨＳＶを有する患者が、優勢なウイルス特異的Ｔｈ１応答を有するという結論は、血清中に存在するウイルス特異的な免疫グロブリンのサブクラスによって支持される。血清を、稀なＨＳＶの再発性感染の病歴を有する１５人の被験体から収集し、そしてＥＬＩＳＡによってウイルス特異的抗体についてアッセイした。ＨＳＶ特異的ＩｇＧ、ＩｇＧ１およびＩｇＧ２を、実施例１に記載のようにアッセイした。簡潔には、ＥＬＩＳＡプレートを、ＨＳＶ−２抗原（５０μｇ／ｍｌ）または標準曲線についてのコントロールとして使用されるヒトＩｇＧ（Ｓｉｇｍａ、Ｓｔ．Ｌｏｕｉｓ  ＭＯ）、ＩｇＧ１（Ｓｉｇｍａ）もしくはＩｇＧ２（Ｃｈｅｍｉｃｏｎ、Ｔｅｍｉｃｕｂａ、ＣＡ）の連続希釈（１００μｇ／ｍｌ〜２ｎｇ／ｍｌ）を用いてコーティングし、４℃で一晩インキュベートした。このプレートを、ＰＢＳ−Ｔｗｅｅｎで洗浄し、そしてＰＢＳ−１０％ＦＣＳで３７℃にて１時間ブロッキングした。プレートを洗浄し、そして血清（１：５および１：５０で希釈）を、ＨＳＶプレートに添加した。３７℃で２時間後、ウェルを洗浄し、そして西洋ワサビペルオキシダーゼに結合体化したマウス抗ヒトＩｇＧ、ＩｇＧ１またはＩｇＧ２特異的抗体（Ｓｏｕｔｈｅｒｎ  Ｂｉｏｔｅｃｈｎｏｌｏｇｙ  Ａｓｓｏｃｉａｔｅｓ）を添加した。３７℃での１時間のインキュベーションおよび引き続く洗浄後、基質２，２−アジノ−ビス３−エチルベンズ−チアゾリン（ｔｈｉａｓｏｌｉｎｅ）−６−スルホン酸（ＡＢＴＳ）を、発色のためにウェルに添加した。これらのウェルを、ＥＬＩＳＡ  ２５５０  ＥＩＡリーダー（ＢｉｏＲａｄ、Ｈｅｒｃｕｌｅｓ、ＣＡ）を用いて４０５ｎｍで読み取った。ＨＳＶ特異的ＩｇＧの総レベルは、９４６０±３２０４ｎｇ／ｍｌであった。ＨＳＶ特異的ＩｇＧ１のレベルは、７５８７±３０４５ｎｇ／ｍｌであり、そして、ＨＳＶ−２感染患者とＨＳＶ−１感染患者との間に明らかな差異は存在しなかった。ＩｇＧ２のレベルは、８９８±５１２ｎｇ／ｍｌであり、そして、ＨＳＶ−２感染患者とＨＳＶ−１感染患者との間に明らかな差異は存在しなかった。
【００８３】
特定の作用機構に束縛されることを意図しないが、ＨＳＶ−２の再発性疾患を処置する方法は、サイトカインカスケードの活性化を含むと結論付けられ、このサイトカインカスケードは、以下である：（ｉ）樹状細胞による増大したＩＬ−１２産生で開始する、（ｉｉ）ＣＤ４＋  Ｔｈ１応答および増大したＩＦＮ−γレベル（および減少したＩＬ−１０レベル）を好むＨＳＶ特異的応答の改変が続いて生じる、そして（ｉｉｉ）続いて、増大したレベルのＨＳＶ特異的ＣＤ８＋  ＣＴＬを生じる。これは、ＩＣＰ１０ΔＰＫでの免疫によって活性化され得るが、他のＨＳＶ組換え体、ウイルスタンパク質、核酸およびポリペプチドの混合物で誘導される場合、再発の現象において、等しく有効である。本発明は、ＨＳＶ−２に対してのみ有効であるだけでなく、ＨＳＶ−１に対しても有効である。さらに、長期にわたって続くか、または再発性である、他のウイルス性疾患（例えば、サイトメガロウイルス、エプスタイン−バーウイルス、ヒトパピローマウイルス、Ｂ型肝炎ウイルス、Ｃ型肝炎ウイルス、水痘‐帯状疱疹ウイルスおよびヒト免疫不全ウイルス（ＨＩＶ））は、再発性疾患または持続性疾患を減少させるために必要なＴｈ１応答についてのマーカーとして働く、ウイルス特異的な免疫グロブリンの比における増大を生じるように選択される薬剤に応答する。本発明はまた、ウイルス特異的Ｔｈ１免疫応答を誘導する薬剤を同定するための方法、ならびに潜伏性ウイルス感染および原発性ウイルス感染に対して保護し、そしてウイルス特異的Ｔｈ１免疫応答を誘導する、併用ワクチンの使用のための方法を開示する。
【００８４】
使用されたが本明細書中には記載されない他の方法は周知であり、免疫学、ウイルス学、細胞生物学および分子生物学の当業者の能力の範囲内である。
【００８５】
本明細書中に引用された、各々または全ての特許、特許出願および広報の開示は、本明細書によって、その全体が参考として援用される。
【００８６】
本発明を、特定の実施形態を参照して開示してきたが、本明細書中に提供される開示に基づいて、本発明の他の実施形態および種々のバリエーションが、本発明の精神および範囲から逸脱することなく、当業者によって考案され得ることが明らかである。添付の特許請求の範囲は、このような実施形態および等価なバリエーションを全て含むように構築されることが意図される。
【国際調査報告】
2005510489.tif 000002